(57)【要約】【課題】プリンタにて印字発行する際に、薬袋を補充する手間がかからず、薬袋のプリンタ詰まりや、薬袋にシワが発生しない薬袋連続体を提供することを課題とする。【解決手段】薬袋連続体１２は、帯状連続紙からなる印字紙２と同一形状の裏紙５とを貼り合わせてなり、ミシン目６を介して切り取ったときに薬袋１の底部と隣の薬袋１の開口部を形成するように、略コ字状に各薬袋１の三辺を接着剤３によって貼り合せて袋状に区画して形成している。また、各薬袋１の開口部には、指掛け穴となる切取部７を印字紙２に設けている。さらに、各薬袋１の裏紙５には、プリンタによる印字方向に対して各薬袋１の底部が先頭となるように、印字開始位置を決定するアイマーク８が印刷されている。図中矢印方向へ、薬袋連続体１２の搬送が行われても、切取部７のカット部とミシン目６のカット部が、薬袋１の袋状部分に溜まった空気の逃げとなる。したがって、印字紙２のシワ発生が防止され、薬袋連続体１２の詰まりも防止される。【選択図】　　　図１
2004142815.tif 000002
【特許請求の範囲】
【請求項１】
プリンタによる印字を行う薬袋がミシン目を介して連続形成された薬袋連続体であって、帯状連続紙からなる印字紙および裏紙を貼り合わせてなるものにおいて、前記各薬袋はミシン目に隣接して袋の底部および開口部を形成するように略コ字状に三辺を接着され、プリンタによる印字方向に対して各袋の底部が先頭となるように搬送され、開口部に指掛け穴となる切取部を設けたことを特徴とする薬袋連続体。
【請求項２】
プリンタによる印字を行う薬袋がミシン目を介して連続形成された薬袋連続体であって、帯状連続紙からなる印字紙および裏紙を貼り合わせてなるものにおいて、前記各薬袋はミシン目に隣接して袋の底部および開口部を形成するように略コ字状に三辺を接着され、この三辺のうち少なくともいずれか一辺には、部分的に薬袋の内外を連通させるように非接着部からなる通気孔を設け、開口部に指掛け穴となる切取部を設けたことを特徴とする薬袋連続体。
【請求項３】
患者情報と薬剤情報とを記憶されたホストコンピュータにネットワークで接続された複数の端末装置と、
第一の端末装置に接続され処方箋情報およびこれをコード化したバーコードなどを印字する処方箋を発行する処方箋発行プリンタと、
第二の端末装置に接続され前記処方箋に印字されたバーコードを読み取るスキャナと、このスキャナにより読み取られた情報から患者情報と薬剤情報およびこれらをコード化したバーコードなどを印字する薬袋を発行する薬袋発行プリンタと、を有し、
薬剤保管棚または薬剤箱に表示された薬剤情報としてのバーコードと、前記薬袋に印字されたバーコードとを読み取り、照合するようにしたスキャナと、からなる薬袋の運用システム。
【請求項４】
前記患者情報は、処方箋に印字される患者名、性別、生年月日、血液型および健康保険証番号であり、
さらに、患者番号、薬剤の名称、服用方法およびこれらをコード化したバーコードが印字されることを特徴とする請求項３に記載の薬袋の運用システム。
【請求項５】
前記患者情報は、薬袋に印字される患者名であり、
前記薬剤情報は、薬袋に印字される服用方法、薬剤の用途、薬剤の用量、薬剤の形状、服用時期および服用個数であり、
前記薬局情報は、薬袋に印字される調剤年月日であり、
さらに、薬剤の名称、薬剤総数およびこれらをコード化したバーコードと、患者番号をコード化したバーコードとが印字されることを特徴とする請求項３に記載の薬袋の運用システム。
【発明の詳細な説明】
【０００１】
【発明の属する技術分野】
本発明は、バーコード印字可能な薬袋連続体および薬袋の運用システムに関する。
【０００２】
【従来の技術】
従来のプリンタ印字発行される薬袋として、互いに重なり合う形状を有する上紙と、下紙とを備え、上紙と下紙との間に一側縁を開口部とする収容空間を形成し、下紙には上紙に対して側縁から延出する延出部を設けた薬袋が提示されている（例えば、特許文献１参照）。
しかしながら、上述の薬袋にあっては、一枚ごとの薬袋からなることから、一度にプリンタにセットできる枚数が限られており、薬袋を補充する必要が頻繁に発生し、手間がかかるという問題があった。
【０００３】
従来の薬袋作成システムとして、電子化された薬剤などの情報を記憶した記憶装置と、記憶装置に記憶させてある薬剤などの情報の内で処方箋に基づいて入用なものを選択するための入力装置と、前記選択された薬剤などの情報を区分因子に基づいて１つの薬袋ごとに区分けする区分けプログラムと、区分けされた薬剤などの情報を各薬袋に表示するための薬袋用印刷機とを有するシステムが提示されている（例えば、特許文献２参照）。
しかしながら、上述の薬袋作成システムにあっては、処方箋に記載された薬剤情報を、入力装置により入力する必要があり、手間がかかるという問題があった。
【０００４】
【特許文献１】
特開平１１−１３００８７号公報（第３−４頁、第１−２図）
【特許文献２】
特開２０００−２５７１９号公報（第２−４頁、第２図）
【０００５】
【発明が解決しようとする課題】
本発明は、上記のような従来技術の問題点を鑑みてなされたものであり、その目的とするところは、プリンタにて印字発行する際に、薬袋を補充する手間がかからず、薬袋の詰まりが発生しない、薬袋連続体を提供することを課題とする。
【０００６】
また本発明は、プリンタにて印字発行する際に、薬袋にシワが発生しない、薬袋連続体を提供することを課題とする。
【０００７】
また本発明は、スキャナでバーコードを読み取ることで正確な情報を読み取ることができるように、バーコードが印字された処方箋および薬袋を発行するための薬袋の運用システムを提供することを課題とする。
また本発明は、薬袋に印字されたバーコードと、薬剤のバーコードとを、照合確認することができる薬袋の運用システムを提供することを課題とする。
【０００８】
【課題を解決するための手段】
本発明は上記課題を解決すべく、以下に掲げる構成とした。
請求項１に記載の発明は、プリンタによる印字を行う薬袋がミシン目を介して連続形成された薬袋連続体であって、帯状連続紙からなる印字紙および裏紙を貼り合わせてなるものにおいて、前記各薬袋はミシン目に隣接して袋の底部および開口部を形成するように略コ字状に三辺を接着され、プリンタによる印字方向に対して各袋の底部が先頭となるように搬送され、開口部に指掛け穴となる切取部を設けたことを特徴とする薬袋連続体に関する。
【０００９】
請求項２に記載の発明は、プリンタによる印字を行う薬袋がミシン目を介して連続形成された薬袋連続体であって、帯状連続紙からなる印字紙および裏紙を貼り合わせてなるものにおいて、前記各薬袋はミシン目に隣接して袋の底部および開口部を形成するように略コ字状に三辺を接着され、この三辺のうち少なくともいずれか一辺には、部分的に薬袋の内外を連通させるように非接着部からなる通気孔を設け、開口部に指掛け穴となる切取部を設けたことを特徴とする薬袋連続体に関する。
【００１０】
請求項３に記載の発明は、患者情報と薬剤情報とを記憶されたホストコンピュータにネットワークで接続された複数の端末装置と、第一の端末装置に接続され処方箋情報およびこれをコード化したバーコードなどを印字する処方箋を発行する処方箋発行プリンタと、第二の端末装置に接続され前記処方箋に印字されたバーコードを読み取るスキャナと、このスキャナにより読み取られた情報から患者情報と薬剤情報およびこれらをコード化したバーコードなどを印字する薬袋を発行する薬袋発行プリンタと、を有し、薬剤保管棚または薬剤箱に表示された薬剤情報としてのバーコードと、前記薬袋に印字されたバーコードとを読み取り、照合するようにしたスキャナと、からなる薬袋の運用システムに関する。
【００１１】
請求項４に記載の発明は、前記患者情報は、処方箋に印字される患者名、性別、生年月日、血液型および健康保険証番号であり、さらに、患者番号、薬剤の名称、服用方法およびこれらをコード化したバーコードが印字されることを特徴とする請求項３に記載の薬袋の運用システムに関する。
【００１２】
請求項５に記載の発明は、前記患者情報は、薬袋に印字される患者名であり、前記薬剤情報は、薬袋に印字される服用方法、薬剤の用途、薬剤の用量、薬剤の形状、服用時期および服用個数であり、前記薬局情報は、薬袋に印字される調剤年月日であり、さらに、薬剤の名称、薬剤総数およびこれらをコード化したバーコードと、患者番号をコード化したバーコードとが印字されることを特徴とする請求項３に記載の薬袋の運用システムに関する。
【００１３】
【発明の実施の形態】
以下、本発明の実施の形態を図面に基づいて詳細に説明する。
【００１４】
まず、本発明に係る薬袋連続体の第一実施の形態について、図１から図５に基づき説明する。
図１は、薬袋連続体の第一実施の形態概略斜視図である。
図１中の矢印は、薬袋連続体１２のプリンタ搬送方向である。薬袋連続体１２は、帯状連続紙からなる印字紙２と同一形状の裏紙５とを貼り合わせてなり、ミシン目６を介して切り取ったときに薬袋１の底部と隣の薬袋１の開口部を形成するように、略コ字状に各薬袋１の三辺を接着剤３によって貼り合せて袋状に区画して形成している。また、各薬袋１の開口部には、指掛け穴となる切取部７を印字紙２に設けている。さらに、各薬袋１の裏紙５には、プリンタによる印字方向に対して各薬袋１の底部が先頭となるように、印字開始位置を決定するアイマーク８が印刷されている。つまり、薬袋連続体１２は、プリンタにて印字される薬袋１の連続体である。
図１では、薬袋連続体１２の薬袋１は、２連続毎に折り返して積み重ねられているが、連続して連なっていれば良く、この折り返しの単位は任意に設定できる。また、巻き芯に巻回してロール状に形成しても良い。
【００１５】
図２は、薬袋連続体の第一実施の形態平面図である。
また、図２中の矢印は、薬袋連続体１２のプリンタ搬送方向である。薬袋連続体１２において、ミシン目６によって区画された薬袋１が一袋単位で、薬袋発行プリンタの印字動作に伴い、搬送開始される部分がプリンタ搬送始端部１０であり、搬送終了される部分がプリンタ搬送終端部１１である。薬袋連続体１２は、プリンタ搬送始端部１０から、薬袋１の全幅に亘って薬袋発行プリンタの印字ヘッドに圧接されたまま、プリンタのプラテンにより、プリンタ搬送終端部１１まで搬送され、薬袋１の印字紙２に後述する患者情報や薬剤情報の文字およびバーコードが印字される。
【００１６】
印字紙２には、薬袋発行プリンタ印字ヘッドの熱により、熱転写リボンによる印字が行われる。したがって、リボン熱転写印字に適した塗工紙であるコート紙が用いられる。また、コート紙に限らず熱転写リボンが不要でプリンタ印字ヘッドの熱により発色する感熱紙を用いても良い。
この場合、感熱紙としては耐光性を有する耐光感熱紙を用いるのが好ましい。耐光感熱紙は通常の感熱紙と比較して、画像保存性に優れ、高耐熱性と高耐光性を有するため、元々の印字濃度が徐々に薄くなったり、高い気温や強い光が当たる環境下でも発色することが少ないからである。
要するに、薬剤は一般的に冷暗所保存されることから、薬袋の印字紙が感熱紙であっても耐光感熱紙であれば問題なく使用できる。
【００１７】
接着剤３は、印字紙２と裏紙５とが剥がれることなく接着されれば良く、接着剤の種類は限定しない。
ただし、接着剤３の塗布厚は、薄いほど接着剤塗布面と接着剤非塗布面との段差が少なくなるため、プリンタ印字や搬送に適しており、接着剤３の塗布厚は５〜２０μｍが好ましい。塗布厚が５μｍ未満だと印字紙２と裏紙５の貼り合わせが不充分で剥がれが生じやすくなる。塗布厚が２０μｍを超えると接着剤塗布面と接着剤非塗布面との段差が大きくなり、薬袋発行プリンタでの印字時に、接着剤非塗布面に印字カスレが生じやすくなる。
また、接着剤３の塗布幅は、狭いほど接着剤塗布面と接着剤非塗布面との段差幅が少なくなるため、プリンタ印字や搬送に適しており、接着剤３の塗布幅は５ｍｍ程度が好ましい。塗布幅が５ｍｍ未満だと印字紙２と裏紙５の貼り合わせが不充分で剥がれが生じやすくなる。一方、接着剤塗布面は通常では余白部として印字しないことから、塗布幅が５ｍｍを超えると印字領域が狭くなるという不都合がある。
【００１８】
ミシン目６は、プリンタ印字発行後の薬袋連続体１２を一袋単位の薬袋１に切離すとともに、この切離した位置に開口部を形成する。また、ミシン目６のカット部と非カット部とは、薬袋１の切離しが容易に行われるよう、カット部に対して非カット部が少ない比率であれば、その比率は任意に設定される。
切取部７は、これを切り取ることにより一袋単位に切離された薬袋１の開口部に指掛け穴を形成し、密着した印字紙２と裏紙５とを容易に開口するために設けられており、切り取りを容易にするため３カ所の非カット部を含む半円型のカット部を設けている。切取部７は、薬袋１の開口部に指掛け穴を形成するために、印字紙２にカット部が形成されれば良く、そのカット部の形状や非カット部については図示のものに限定されず任意に設定できる。また、切取部７はあらかじめ印字紙２から取り除かれた状態であっても良い。
【００１９】
図３は、薬袋連続体の第一実施の形態裏面図である。
また、図３中の矢印は、薬袋連続体１２のプリンタ搬送方向である。裏紙５は、後述する薬袋発行プリンタ印字時の印字開始位置を決定するアイマーク８が一定間隔で印刷されている。裏紙５はアイマーク８の印刷適正を有していれば良く、リボン熱転写印字に適したコート紙（塗工紙）である必要はない。非塗工紙である上質紙等でも良く、コスト的に安価な選択もできる。
なお、薬袋発行プリンタによる印字時の印字開始位置を決定するマークは、反射型センサに対応するアイマーク８には限定されず、透過型センサにより接着剤３による貼り合わせ部やミシン目６の部分を読み取るようにしても良い。
【００２０】
図４は図２中のＡ−Ａ線断面図であり、一袋単位に区画された薬袋１の、プリンタ搬送始端部１０の断面図である。
図２中のＡ−Ａ線断面は上層より、印字紙２、接着剤３、裏紙５の順に積層されている。裏紙５にはアイマーク８が印刷されている。
【００２１】
図５は、図２中のＢ−Ｂ線断面図であり、一袋単位に区画された薬袋１の、プリンタ搬送終端端部１１の断面図である。
図２中のＢ−Ｂ線断面は上層より、印字紙２、接着剤３、裏紙５の順に積層されている。印字紙２には切取部７を形成する切取線のカットが形成されている。接着剤３は幅方向の両端部のみに塗工され、中央部には開口部４が形成されている。前述のとおり、接着剤３は、その塗布厚に比例して開口部４の距離も変動する。したがって、接着剤３の塗布厚が厚くなれば開口部４の距離が広がり開口は容易となる。しかし、前述のとおり薬袋発行プリンタでの印字時においては、接着剤３が塗布された両端部と比較して、開口部４が設けられた中央部は、印字ヘッドの圧接力が弱くなるため、印字カスレが生じやすくなる。
また、図２中の矢印方向へ、プリンタ搬送始端部１０からプリンタ搬送終端部１１方向に搬送が行われても、切取部７のカット部とミシン目６のカット部が、薬袋１の袋状部分に溜まった空気の逃げ途となる。
したがって、印字紙２のシワ発生が防止され、薬袋連続体１２の詰まりも防止される。
【００２２】
以下に、本発明に係る薬袋連続体の第二実施の形態について、図６から図９に基づき説明する。
なお、先に述べた第一実施の形態と同一の部分には同一符号を付し、詳説を省略する。
図６は、薬袋連続体の第二実施の形態平面図である。
また、図６中の矢印は、薬袋連続体１２のプリンタ搬送方向である。
図６は、前述した図２の薬袋連続体の第一実施の形態平面図と比較して、非接着部９が設けられており、薬袋連続体１２のプリンタ搬送方向が逆となっている。
【００２３】
非接着部９は、各薬袋１のミシン目６（プリンタ搬終端部１１）に接する貼り合わせ辺部の中央部分一ヶ所と、各薬袋１が搬送される方向の両側貼り合わせ辺部のプリンタ搬終端部１１近傍にそれぞれ一ヶ所に設けられている。つまり、開口部以外の三方辺部の三ヶ所に設けられている。
非接着部９は、接着剤３を塗布しない部分を形成したり、印字紙２または裏紙５に剥離剤を塗布するなどして接着しない部分を形成すれば良く、その形成方法については特に限定しない。
なお、非接着部９の幅は特に限定しないが、図６の位置に三ヶ所設けた場合は１ｍｍ程度が好ましい。
また、非接着部９は図６の位置と数に関わらず、少なくともいずれか一辺のプリンタ搬送終端部１１近傍に、部分的に薬袋１の内外を連通させるように、通気孔となる部分を形成すれば良い。
【００２４】
図７は、薬袋連続体の第二実施の形態裏面図である。
また、図７中の矢印は、薬袋連続体１２のプリンタ搬送方向である。
図７は、図３の薬袋連続体の第一実施の形態の裏面図と比較して、非接着部９が設けられており、薬袋連続体１２のプリンタ搬送方向が逆となっている点のみが異なる。
【００２５】
図８は、図６中のＣ−Ｃ線断面図であり、一袋単位に区画された薬袋１の、プリンタ搬送終端端部１１の断面図である。
断面は上層より、印字紙２、接着剤３、裏紙５の順に構成される。接着剤３には幅方向の略中央部に非接着部９が形成され、裏紙５にはアイマーク８が印刷されている。
図６中の矢印方向へ、プリンタ搬送始端部１０からプリンタ搬送終端部１１方向に搬送が行われても、前記接着剤３の幅方向の略中央部に形成された非接着部９が、通気孔となって薬袋１の袋状部分に溜まった空気の逃げ途となる。
【００２６】
図９は、図６中のＤ−Ｄ線断面図である。
また、図９中の矢印はプリンタ搬送方向である。断面は上層より、印字紙２、接着剤３、裏紙５の順に構成される。前記全ての層を貫通してミシン目６のカット部が形成され、接着剤３には、ミシン目６（プリンタ搬送終端部１１）の近傍に、非接着部９が形成され、裏紙５にはアイマーク８が印刷されている。
図６中の矢印方向へ、プリンタ搬送始端部１０からプリンタ搬送終端部１１方向に搬送が行われても、前記接着剤３のミシン目６（プリンタ搬送終端部１１）の近傍に形成された非接着部９が、通気孔となって薬袋１の袋状部分に溜まった空気の逃げ途となる。
【００２７】
また、図６中の矢印とは逆方向へ搬送が行われても、切取部７とミシン目６のカット部が薬袋１の袋状部分に溜まった空気の逃げ途となることは、前述の第一実施の形態と同様である。
つまり、本発明に係る第二実施の形態では、薬袋連続体１２において、各薬袋１の袋状部分に溜まった空気の逃げ途となる部分を、切取部７とミシン目６の一辺（開口部）と、非接着部９として他方の三辺にも設けた。
したがって、四辺すべてに、各薬袋１の袋状部分に溜まった空気の逃げ途を設けたことから、薬袋発行プリンタの搬送方向に関わらず、印字紙２のシワ発生が防止され、薬袋連続体１２の詰まりも防止される。
【００２８】
次に、本発明に係る薬袋の運用システムについて説明する。
【００２９】
まず、薬袋の運用システムの処方箋発行について、図１０乃至図１４に基づき説明する。
図１０は、薬袋の運用システムの概略図である。
薬袋の運用システムは、ネットワーク６０に接続された、ホストコンピュータ５０と、第一の端末装置５１と、複数の第二の端末装置６１ａ、６１ｂと、薬剤保管棚７０などから構成される。
前記薬袋の運用システムの処方箋の発行は、病院内にて行われるもので、第一の端末装置５１が用いられる。図１０では第一の端末装置５１は一台のみとなっているが、実際の運用にあたっては医師が患者を診察する場所ごとに設置され、コンピュータ５２、ディスプレイ５３、キーボード５４から構成され、処方箋発行プリンタ５５とスキャナ５６ａが接続されている。
また、ホストコンピュータ５０には、患者情報として患者番号テーブルが登録されており、薬剤情報として薬剤の名称テーブルが登録されている。
【００３０】
次に、ホストコンピュータ５０に登録されている、前記患者番号テーブルについて説明する。
図１１は、薬袋の運用システムの患者番号テーブルである。
患者番号テーブル１８は、患者番号欄２１と、患者名欄２３と、性別欄２４と、生年月日欄２５と、血液型欄２６と、健康保険証番号欄２７などからなる。
図１１の例として、患者番号欄２１の「１２３４５６７８９」には、患者名欄２３に「あいうえお」、性別欄２４に「おとこ」、生年月日欄２５に「Ｓ４７．１．１」、血液型欄２６に「Ａ」、健康保険証番号欄２７に「１３５７−２４６８」が登録されている。
【００３１】
次に、ホストコンピュータ５０に登録されている、前記薬剤の名称テーブルについて説明する。
図１２は、薬袋の運用システムの薬剤の名称テーブルである。
薬剤の名称テーブル１９は、薬剤の名称欄３０と、薬剤の用量欄３６と、薬剤の用途欄３５と、薬剤の形状欄３７などからなる。
図１２の例として、薬剤の名称欄３０の「ＡＢＣＤ錠１０ｍｇ」には、薬剤の用量欄３６に「１０ｍｇ」、薬剤の用途欄３５に「せきを止めるくすり」、薬剤の形状欄３７に「錠剤」が登録されている。
【００３２】
次に、患者の外来受付について説明する。
前記薬袋の運用システムの処方箋発行では、病院の外来受付にも、図１０の第一の端末装置５１と同一の端末装置が設置されている。この病院の外来受付に設置された第一の端末装置５１から、前記患者番号テーブル１８の各項目が入力され、ホストコンピュータ５０に保存される。
詳しくは、患者の来院初回時に、外来受付に設置された前記第一の端末装置５１から、患者番号欄２１の患者番号が新規に付番され、健康保険証や患者の記入事項に基づいて、患者番号テーブル１８の各項目欄が入力され、ネットワーク６０を介してホストコンピュータ５０に登録される。
次に、前記第一の端末装置５１に接続された処方箋発行プリンタ５５には、処方箋の用紙ではなくラベルが装着されており、前記の新規に付番された患者番号をコード化したバーコードラベルが発行される。
次に、患者番号テーブル１８の各項目が記入されたカルテが新規に作成される。図示せぬこのカルテは、従来より使用されている診察内容を記入する形式のもので、前記の新規に付番された患者番号をコード化したバーコードラベルが、カルテの所定の位置に貼付される。
以上のように、患者番号をコード化したバーコードラベルが貼付された図示せぬカルテは、外来受付から担当医の診察場所へ送られ、患者は医師の診察待ちとなる。
再来患者に関しては、外来受付にて保管管理されている、図示せぬカルテが選出され、担当医の診察場所へ送られ、医師の診察待ちとなる。
【００３３】
次に、医師による処方箋発行について説明する。
図１３は、薬袋の運用システムの処方箋発行フローチャート図である。
医師は、患者の病状を判断して、診断した内容を図示せぬカルテに記入し、処方箋を作成する。
まず、医師による処方箋作成にあたり、第一の端末５１に接続されたスキャナ５６ａにより、図示せぬ、カルテのバーコードラベルの患者番号読み取り（ステップＳ１０１）が行われる。これにより、第一の端末装置５１からホストコンピュータ５０へ読み取ったデータが送信される。
次に、ホストコンピュータより患者情報取り込み（ステップＳ１０２）が行われる。前記（ステップＳ１０１）にて第一の端末装置５１からホストコンピュータ５０へ送信されたデータに基づき、ホストコンピュータ５０の患者番号テーブル１８の対応した患者名欄２３、性別欄２４、生年月日欄２５、血液型欄２６、健康保険証番号欄２７などの患者情報が、ホストコンピュータ５０から第一の端末装置５１に送信され、第一の端末装置５１に接続されたディスプレイ５３に表示される。
【００３４】
次に、第一の端末装置５１から、薬剤選択（ステップＳ１０３）が行われる。これにより、医師が患者に処方する薬剤の名称が選択される。詳しくは、第一の端末装置５１から薬剤情報の呼び出しを選択すると、ホストコンピュータ５０から薬剤名称テーブル１９が呼び出され、第一の端末装置５１へ送信される。これにより、第一の端末装置５１に接続されたディスプレイ５３に薬剤の名称テーブル１９が表示され、処方する薬剤の名称を選択する。これにより、第一の端末装置５１からホストコンピュータ５０へ、処方する薬剤の名称を選択した情報が送信される。
次に、ホストコンピュータより薬剤情報取り込み（ステップＳ１０４）が行われる。前記（ステップＳ１０３）にて第一の端末装置５１からホストコンピュータ５０へ送信された、薬剤の名称のデータに基づき、ホストコンピュータ５０の薬剤名称テーブル１９の、薬剤の名称に対応した、薬剤の用量欄３６、薬剤の用途欄３５、薬剤の形状欄３７などの薬剤情報がホストコンピュータ５０から第一の端末装置５１に送信され、第一の端末装置５１に接続されたディスプレイ５３に表示される。
【００３５】
次に、第一の端末装置５１から、服用方法入力（ステップＳ１０５）が行われる。詳しくは、前記（ステップＳ１０３）にて薬剤選択した薬剤について、第一の端末装置５１に接続されたキーボード５４から薬剤の服用時期、服用個数、服用日数などの服用方法を入力する。
【００３６】
次に、第一の端末装置５１から薬剤の処方が終了か？（ステップＳ１０６）を選択する。
引き続き処方する薬剤があり、薬剤の処方が終了でなければ薬剤選択（ステップＳ１０３）に戻る。
また、処方する薬剤がなく、薬剤の処方が終了であれば処方箋発行（ステップＳ１０７）へ進む。
処方箋発行（ステップＳ１０７）では、第一の端末装置５１に接続されたディスプレイ５３にて、発行される処方箋の内容を確認することができる。処方箋の内容に修正があればステップＳ１０３またはステップＳ１０５へ戻り修正することができる。
また、修正がなく処方箋発行を選択すると、第一の端末装置５１に接続された処方箋発行プリンタ５５より、処方箋が発行される。これにより、処方箋内容を示す患者情報と薬剤情報と服用方法とが、コード化されたバーコードと文字が印字された、処方箋が発行される。
【００３７】
次に、ホストコンピュータ５０へ送信（ステップＳ１０８）が行われる。これにより医師が処方した処方箋データが、第一の端末装置５１からホストコンピュータ５０へ送信される。ホストコンピュータ５０は、受信した処方箋データを保存する。
【００３８】
なお、上記の処方箋発行フローチャートにおいて、服用方法選択（ステップＳ１０５）にて、薬剤の服用時期、服用個数、服用日数が入力されるため、処方箋発行（ステップＳ１０７）時には自動的に処方される薬剤の総数と、総数をコード化したバーコードが印字される。
たとえば、薬剤の服用時期として１日３回朝昼夕食後が入力され、服用個数として１回１錠が入力され、服用日数として１４日が入力されると、自動的に処方される薬剤の総数として４２が計算され、この薬剤の総数である４２と、薬剤の総数である４２をコード化した薬剤の総数バーコードが印字される。
【００３９】
次に、薬袋の運用システムの処方箋について説明する。
図１４は、薬袋の運用システムの処方箋説明図である。
前述の処方箋発行フローチャートに基づき発行された、処方箋２０には、患者情報として患者番号欄２１と、患者番号バーコード２２と、患者名欄２３と、性別欄２４と、生年月日欄２５と、血液型欄２６と、健康保険証番号欄２７などが印字される。
図１４の例として、患者番号欄２１に「１２３４５６７８９」、患者番号バーコード２２に「１２３４５６７８９」をコード化したバーコード、患者名欄２３に「あいうえお」、性別欄２４に「おとこ」、生年月日欄２５に「Ｓ４７．１．１」、血液型欄２６に「Ａ」、健康保険証番号欄２７に「１２３４−５６７８」が印字される。
さらに、薬剤情報として薬剤の名称欄３０と、薬剤の名称バーコード３１と、服用方法と服用総数３２と、服用方法バーコード３３などが印字される。
図１４の例として、処方される薬剤１の、薬剤の名称欄３０に「ＡＢＣＤ錠１０ｍｇ」、薬剤の名称バーコード３１に「ＡＢＣＤ錠１０ｍｇ」をコード化したバーコード、服用方法と服用総数３２に「１日３回朝昼夕食後１回１錠１４日分４２」、服用方法バーコード３３に「１日３回朝昼夕食後１回１錠１４日分４２」をコード化したバーコードが印字される。前記４２は薬剤の総数であり、錠やカプセルや袋などの形状の単位は省略されている。
【００４０】
なお、薬袋の運用システムのバーコードは、一般的によく使われているバーコード、ＪＡＮ、ＣＯＤＥ３９、ＮＷ−７、ＩＴＦの中でＣＯＤＥ３９が使用される。
ＣＯＤＥ３９は、０から９までの数字と、ＡからＺまでのアルファベットと、特定の記号が使用可能である。したがって、英字の表現が可能である。また、ＪＡＮ、ＣＯＤＥ３９、ＮＷ−７、ＩＴＦの中でバーコードの誤読率が最も低く、バーコード読み取りの正確さが要求される場合に適しているからである。
たとえば、前記処方箋薬剤１のＡＢＣＤ錠１０ｍｇを、薬剤名称（ＡＢＣＤ）、形状（錠）、用量（１０ｍｇ）で区切り、区切りの部分をスペースとして表すと、ＡＢＣＤスペースＴ（錠剤を意味するＴＡＢＬＥＴの頭文字）スペース１０ＭＧで表すことができ、ＣＯＤＥ３９による表現が可能である。
【００４１】
次に、薬袋の運用システムの薬袋発行と薬剤照合について、図１０、図１５乃至図１７に基づき説明する。
まず、薬袋運用システムの薬袋発行と薬剤照合の構成について説明する。
前記薬袋の運用システムの薬袋発行と薬剤照合は、薬局内にて行われるもので、図１０のネットワーク６０に接続されたホストコンピュータ５０と、ネットワーク６０に接続された薬局内の少なくとも二台の第二の端末装置６１ａ、６１ｂと、薬剤保管棚７０とが用いられる。
前記第二の端末装置６１ａは、コンピュータ６２、ディスプレイ６３、キーボード６４から構成され、スキャナ５６ａ、５６ｂと薬袋発行プリンタ６５が接続される。また、前記第二の端末装置６１ｂは、コンピュータ６２、ディスプレイ６３、キーボード６４から構成され、スキャナ５６ａと会計伝票発行プリンタ６６が接続される。
前記第二の端末装置６１ａに接続されたスキャナ５６ｂは、読み取ったバーコードの内容を表示する表示部と、数値を入力できる入力部と、バーコードとバーコードまたはバーコードと入力数値を照合する照合部と、前記照合部の照合結果を報知する報知部とを有している。
前記薬剤保管棚７０は、おのおの区切られた棚に薬剤７１が保管されている。また、おのおの区切られた棚には、保管されている薬剤７１の、薬剤の名称欄３０と薬剤の名称バーコード３１が表示されている。なお、薬剤保管棚７０は棚に限らず、薬剤の名称欄３０と薬剤の名称バーコード３１が表示された箱などであっても良い。
【００４２】
次に、薬袋の運用システムの薬袋発行について説明する。
図１５は、薬袋運用システムの薬袋発行フローチャート図である。
まず、病院で前記処方箋２０を受け取った患者は、薬局に前記処方箋２０を提出する。
前記処方箋２０を受け取った薬局では、局員が薬袋を発行するにあたり、処方箋の患者番号バーコード読み取り（ステップＳ２０１）が行われる。
詳しくは、患者が薬局に提出した処方箋２０の患者番号バーコード２２が、第二の端末装置６１ａに接続されたスキャナ５６ａにより読み取られる。これにより、第二の端末装置６１ａからホストコンピュータ５０へ読み取ったデータが送信される。
次に、ホストコンピュータ５０より患者情報取り込み（ステップＳ２０２）が行われる。これにより、ホストコンピュータ５０の患者番号テーブル１８の対応した患者名欄２３が、ホストコンピュータ５０から第二の端末装置６１ａへ送信され、第二の端末装置６１ａに取り込まれる。
【００４３】
次に、処方箋の薬剤の名称バーコード読み取り（ステップＳ２０３）が行われる。
詳しくは、処方箋２０の薬剤の名称バーコード３１が、第二の端末装置６１ａに接続されたスキャナ５６ａにより読み取られる。これにより、第二の端末装置６１ａからホストコンピュータ５０へ、読み取った薬剤の名称バーコード３１のデータが送信される。
次に、ホストコンピュータ５０より薬剤情報取り込み（ステップＳ２０４）が行われる。これにより、ホストコンピュータ５０の薬剤の名称テーブル１９の、対応した薬剤情報が、ホストコンピュータ５０から第二の端末装置６１ａへ送信され、薬剤の名称欄３０、薬剤の用途欄３５、薬剤の用量欄３６、薬剤の形状欄３７が、第二の端末装置６１ａに取り込まれる。
【００４４】
次に、処方箋の服用方法バーコード読み取り（ステップＳ２０５）が行われる。
詳しくは、処方箋２０の服用方法バーコード３３が、第二の端末装置６１ａに接続されたスキャナ５６ａにより読み取られる。これにより、服用方法と薬剤総数が、第二の端末装置６１ａに取り込まれる。
【００４５】
次に、第二の端末装置６１ａから薬剤の処方が終了か？（ステップＳ２０６）を選択する。
引き続き処方される薬剤があり、薬剤の処方が終了でなければ、処方箋の薬剤の名称バーコード読み取り（ステップＳ２０３）に戻る。
また、処方する薬剤がなく、薬剤の処方が終了であれば、薬袋発行（ステップＳ２０７）が行われる。
以上のとおり、前記第二の端末装置６１ａに取り込まれた情報に基づいて、第二の端末装置６１ａに接続された薬袋発行プリンタ６５から、処方された薬剤の種類ごとに薬袋１が発行される。
【００４６】
次に、薬袋の運用システムの薬袋について説明する。
図１６は、薬袋の運用システムの薬袋説明図である。
前述のとおり薬袋発行プリンタ６５から発行される薬袋１には、前記処方箋２０の患者番号バーコード２２から、患者情報として患者名欄２３が「あいうえお」と印字される。
また、前記処方箋２０の服用方法バーコード３３から、薬剤情報として１日の服用回数と服用時期と服用個数と服用日数と薬剤総数を示す服用方法３４が「１日３回１回１錠朝昼夕食後１４日分４２」と、服用時期欄には服用時期３８が「朝、昼、夕」と、服用個数欄には服用個数３９が「１、１、１」と印字される。また、前記処方箋２０の薬剤の名称バーコード３１から、用途欄には薬剤の用途欄３５が「せきを止めるくすり」、名称欄には薬剤の名称欄３０が「ＡＢＣＤ錠」、用量欄には薬剤の用量欄３６が「１０ｍｇ」、形状欄には薬剤の形状欄３７が「錠剤」と印字される。
また、名称欄には薬剤の名称バーコード３１として「ＡＢＣＤ錠」をコード化したバーコードが、総数欄には薬剤の総数バーコード４０として「４２」をコード化したバーコードが、番号欄には患者番号バーコード２２として「１２３４５６７８９」をコード化したバーコードが印字される。
また、薬局名と所在地と電話番号を示す薬局名４１と、調剤した年月日を示す調剤年月日４２と、薬剤師押印欄４３とが印字される。なお、薬局名４１と薬剤師押印欄４３とは薬袋１にあらかじめ印刷されていても良い。
【００４７】
次に、薬袋の運用システムの薬剤照合について説明する。
図１７は、薬袋運用システムの薬剤照合フローチャート図である。
前記薬袋１が発行された薬局では、局員が薬剤を選出するにあたり、薬袋の薬剤名称読み取り（ステップＳ３０１）が行われる。詳しくは、薬袋１の薬剤の名称バーコード３１が、第二の端末装置６１ａに接続されたスキャナ５６ｂにより読み取られ、スキャナ５６ｂの表示部に表示される。
次に、薬剤保管棚７０から、選出する薬剤名称読み取り（ステップＳ３０２）が行われる。詳しくは、薬剤保管棚７０から選出する薬剤７１に対応した薬剤の名称バーコード３１が、第二の端末装置６１ａに接続されたスキャナ５６ｂにより読み取られ、スキャナ５６ｂの表示部に表示される。
そして、薬袋１の薬剤の名称バーコード３１と、薬剤保管棚７０から選出する薬剤の名称バーコード３１とが、一致するか（ステップＳ３０３）の判断が、スキャナ５６ｂの照合部において判断される。
一致しなければ、スキャナ５６ｂの報知部よりエラー報知（ステップＳ３０４）が行われ、選出する薬剤名称読み取り（ステップＳ３０２）へ戻る。
また、一致するか（ステップＳ３０３）で一致すれば、スキャナ５６ｂの表示部に表示され、薬剤名称の照合は終了し、薬剤総数の照合へ進む。
【００４８】
薬剤総数の照合では、薬袋の薬剤総数読み取り（ステップＳ３０５）が行われる。詳しくは、薬袋１の薬剤総数バーコード４０が、スキャナ５６ｂにより読み取られ、スキャナ５６ｂの表示部に表示される。
次に、選出した薬剤総数を入力（ステップＳ３０６）される。詳しくは、薬剤保管棚７０から選出した薬剤７１の総数が、スキャナ５６ｂの入力部から入力され、スキャナ５６ｂの表示部に表示される。
そして、薬袋１の薬剤総数バーコード４０が示す数値と、前記スキャナ５６ｂの入力部から入力された数値（選出した薬剤７１の総数）とが、一致するか（ステップＳ３０７）の判断が、スキャナ５６ｂの照合部において判断される。
一致しなければ、スキャナ５６ｂの報知部よりエラー報知（ステップＳ３０８）が行われ、選出する薬剤総数を入力（ステップＳ３０６）へ戻る。
また、一致するか（ステップＳ３０７）で一致すれば、スキャナ５６ｂの表示部に表示され、薬剤照合は終了となる。
【００４９】
以上のとおり薬剤照合が行われ、照合された薬剤７１が入れられた薬袋１は、処方箋２０とともに会計処理される。
つまり、第二の端末装置６１ｂに接続されたスキャナ５６ａにより、会計処理に必要な患者情報として前記薬袋１の患者番号バーコード２２と、薬剤の単価情報呼び出しのため前記薬袋１の薬剤の名称バーコード３１と、選出した薬剤の総数読み取りのため前記薬袋１の薬剤総数バーコード４０とが読み取られる。これらの情報に基づいて、会計処理がなされ、第二の端末装置６１ｂに接続された会計伝票発行プリンタ６６から、会計伝票が発行される。
次に、患者へ薬剤７１が入れられた薬袋１が引き渡され、前記会計伝票に従い、会計が行われる。
なお、上記会計処理の詳細については省略する。
以上で、薬袋運用システムの薬袋発行と薬剤照合は終了となる。
【００５０】
上述の、薬袋の運用システムにおけるバーコードは二次元コードであっても良く、その場合薬袋の運用システムのバーコード部分は二次元コードに置き換えることができる。
【００５１】
なお、本発明が上記実施の形態に限定されず、本発明の技術思想の範囲内において、各実施の形態は適宜に変更され得ることは明らかである。また、上記構成部材の数、位置、形状等は上記実施の形態に限定されず、本発明を実施する上で好適な数、位置、形状にすることができる。
【００５２】
【発明の効果】
以上のように、請求項１の発明によれば、薬袋がミシン目を介して連続形成された薬袋連続体であって、プリンタによる印字方向に対して各袋の底部が先頭となるように搬送され、開口部に指掛け穴となる切取部を設けた薬袋連続体としたので、薬袋を補充する手間がかからず、薬袋の詰まりやシワが発生しない薬袋連続体が得られる。
また、請求項２の発明によれば、薬袋がミシン目を介して連続形成された薬袋連続体であって、部分的に薬袋の内外を連通させるように非接着部からなる通気孔を設け、開口部に指掛け穴となる切取部を設けた薬袋連続体としたので、薬袋を補充する手間がかからず、プリンタ搬送方向に関わらず薬袋の詰まりやシワが発生しない薬袋連続体が得られる。
また、請求項３の発明によれば、ホストコンピュータにネットワークで接続された複数の端末装置と、第一の端末装置に接続された処方箋発行プリンタと、第二の端末装置に接続された薬袋発行プリンタとスキャナと、を有し、薬剤保管棚に薬剤情報としてのバーコードを表示するようにしたので、患者情報と薬剤情報と服用方法およびこれらをコード化したバーコードなどが印字された、処方箋と薬袋とが得られる。さらに、薬袋のバーコードと薬剤保管棚から選出される薬剤のバーコードとを照合して確認することができる。
また、請求項４の発明によれば、患者情報と薬剤情報と服用方法およびこれらをコード化したバーコードなどを印字する処方箋としたので、正確な情報が印字された処方箋が得られる。
また、請求項５の発明によれば、患者情報と薬剤情報と服用方法およびこれらをコード化したバーコードなどを印字する薬袋としたので、正確な情報が印字された薬袋が得られる。
【図面の簡単な説明】
【図１】薬袋連続体の第一実施の形態概略斜視図
【図２】薬袋連続体の第一実施の形態平面図
【図３】薬袋連続体の第一実施の形態裏面図
【図４】図２中のＡ−Ａ線断面図
【図５】図２中のＢ−Ｂ線断面図
【図６】薬袋連続体の第二実施の形態平面図
【図７】薬袋連続体の第二実施の形態裏面図
【図８】図６中のＣ−Ｃ線断面図
【図９】図６中のＤ−Ｄ線断面図
【図１０】薬袋の運用システムの概略図
【図１１】薬袋の運用システムの患者番号テーブル
【図１２】薬袋の運用システムの薬剤の名称テーブル
【図１３】薬袋の運用システムの処方箋発行フローチャート図
【図１４】薬袋の運用システムの処方箋説明図
【図１５】薬袋の運用システムの薬袋発行フローチャート図
【図１６】薬袋の運用システムの薬袋説明図
【図１７】薬袋の運用システムの薬剤照合フローチャート図
【符号の説明】
１　薬袋
２　印字紙
３　接着剤
４　開口部
５　裏紙
６　ミシン目
７　切取部
８　アイマーク
９　非接着部
１０　プリンタ搬送始端部
１１　プリンタ搬送終端部
１２　薬袋連続体
１８　患者番号テーブル
１９　薬剤の名称テーブル
２０　処方箋
２１　患者番号欄
２２　患者番号バーコード
２３　患者名欄
２４　性別欄
２５　生年月日欄
２６　血液型欄
２７　健康保険証番号欄
３０　薬剤の名称欄
３１　薬剤の名称バーコード
３２　服用方法と薬剤総数
３３　服用方法バーコード
３４　服用方法
３５　薬剤の用途欄
３６　薬剤の用量欄
３７　薬剤の形状欄
３８　服用時期
３９　服用個数
４０　薬剤総数バーコード
４１　薬局名
４２　調剤年月日
４３　薬剤師押印欄
５０　ホストコンピュータ
５１　第一の端末装置
５２、６２　コンピュータ
５３、６３　ディスプレイ
５４、６４　キーボード
５５　処方箋発行プリンタ
５６ａ、５６ｂ　スキャナ
６０　ネットワーク
６１ａ、６１ｂ　第二の端末装置
６５　薬袋発行プリンタ
６６　会計伝票発行プリンタ
７０　薬剤保管棚
７１　薬剤
【図１】
2004142815.tif 000003
【図２】
2004142815.tif 000004
【図３】
2004142815.tif 000005
【図４】
2004142815.tif 000006
【図５】
2004142815.tif 000007
【図６】
2004142815.tif 000008
【図７】
2004142815.tif 000009
【図８】
2004142815.tif 000010
【図９】
2004142815.tif 000011
【図１０】
2004142815.tif 000012
【図１１】
2004142815.tif 000013
【図１２】
2004142815.tif 000014
【図１３】
2004142815.tif 000015
【図１４】
2004142815.tif 000016
【図１５】
2004142815.tif 000017
【図１６】
2004142815.tif 000018
【図１７】
2004142815.tif 000019